(57)【要約】【課題】収容する果実の大きさのバラつきに対し融通性があり、少々大きい果実でも過度に圧迫することなく保持でき、しかも果実を収容した状態での段積みを可能にできる包装用容器を提供する。【解決手段】本体１と蓋体２とをヒンジ部３を介して連接し、本体１には果実の下部側を保持する収容部１１を、蓋体２には果実の上部側を保持する収容部２１を、それぞれ平面部１２，２２に対し外面側へ膨出形成して複数列に並設し、蓋体２の各収容部２１を仕切る縦横の仕切り部の交差領域２４を、平面部２２に対して収容部２１の深さ範囲内の段差をなす段状面２４ａとして形成し、段状面２４ａの周縁を周りの収容部２１の周壁２５の一部に連続させ、収容部２１の開口縁側の一部が開放形をなすものとする。【選択図】図５
2012254827.tif 000002
【特許請求の範囲】
【請求項１】
合成樹脂製のシート材から成形され、ヒンジ部を介して一体に連接された本体と蓋体とからなり、本体には果実の下部側を保持する収容部が、蓋体には果実の上部側を保持する収容部が、それぞれ閉蓋状態において少なくとも外周部で突き合わされる平面部に対して外面側へ膨出形成され複数列に並設されてなる包装用容器であって、
前記本体と蓋体の少なくとも一方において、各収容部を仕切る縦横の仕切り部の交差領域が、前記平面部に対して収容部の深さ範囲内の段差をなす段状面として形成され、該段状面の周縁が周りの収容部の周壁の一部に連続しており、該収容部の開口縁側の一部が開放形をなしていることを特徴とする包装用容器。
【請求項２】
前記段状面が収容部深さの１／４〜３／４の範囲の位置にある請求項１に記載の包装用容器。
【請求項３】
本体及び蓋体の各収容部の周壁に、縦方向の補強リブが周壁の底部及び頂部を中心とする放射状に設けられてなる請求項１又は２に記載の包装用容器。
【請求項４】
前記本体と蓋体の外周部の所要の個所に閉蓋状態を保持するための係脱自在な締結手段が設けられてなる請求項１〜３のいずれか１項に記載の包装用容器。
【請求項５】
ヒンジ部と対向する辺の本体と蓋体の外縁部に対し両端部の結合手段により脱着可能な下げ手部材を備えており、該下げ手部材の両端部の結合手段が前記締結手段を兼ねて本体と蓋体の外縁部を挟持可能に設けられてなる請求項４に記載の包装用容器。
【請求項６】
蓋体の収容部の周壁の頂部外面側に凸部が設けられるとともに、本体の収容部の周壁の底部外面側に前記凸部が嵌合できる凹部が設けられ、閉蓋状態の複数の包装用容器を段積みする際に下段の容器の凸部に上段の容器の凹部を嵌合して載置できるように設けられてなる請求項１〜５のいずれか１項に記載の包装用容器。
【請求項７】
本体と蓋体の各収容部間の仕切り部に両収容部を連通させる凹部が設けられてなる請求項１〜６のいずれか１項に記載の包装用容器。
【発明の詳細な説明】
【技術分野】
【０００１】
本発明は、主として球状に近い果実の包装に使用する包装用容器で、本体と蓋体とがヒンジ部を介して一体に連設されてなる包装用容器に関するものである。
【背景技術】
【０００２】
従来より、リンゴ、梨、メロン、桃等の主として球状（球形に近い球状）をなす果実を収納して包装するための包装用容器として、薄肉の合成樹脂製のシート材を素材とし、複数の凹形の収容部を有する容器本体と、これに被着自在な蓋体とを形成したものが知られている。容器本体と蓋体とは、それぞれ別体に形成して蓋体を容器本体に嵌合被着自在に形成しておくほか、前記容器本体の一側辺にヒンジ部を介して蓋体を一体に連接して形成し、該蓋体をヒンジ部で折曲して容器本体に対し被着自在に設けたものもある（例えば、特許文献１及び特許文献２）。
【０００３】
いずれの包装用容器においても、本体には包装対象の果実の下部側を保持する椀状の収容部が、蓋体には果実の上部側を保持する伏椀状の収容部が、それぞれ閉蓋状態において突き合わされる本来のシート材により平面部に対し外面側に膨出形成されている。
【０００４】
かかる包装用容器の場合、本体及び蓋体の収容部は、包装対象の果実の種類や大きさに応じて、例えば、柔軟な合成樹脂発泡体製の網状の緩衝材により包被した状態の果実を収納できるように形成されているが、サイズ分けされた果実でも大きさや形状にある程度のバラつきがあるのが普通で、大きいサイズの果実を収容できない場合があり、大きさのバラつきに対する融通性に劣るという問題がある。例えば、少し大きいサイズの果実は、緩衝材の弾力性を利用して押し込むことである程度までは収容できるとしても、果実を過度に圧迫することになり、果実を傷める虞が多分にある。
【０００５】
また、果実を収納した状態の複数の包装用容器をダンボール箱等の外装箱内に段積み状態で収納して梱包することがあるが、前記収容部が全周にわたって平面部に対して膨出形成したものであって、開口縁が全周に渡って平面部に連続している形状の場合、周壁頂部に外力が作用すると、椀状の周壁が外側に膨らむように変形して頂部が凹み、収容した果実に接触する虞ある。このため、収容部を形成する周壁が段積み荷重に耐える保形強度を保有することが求められるが、特許文献１及び特許文献２のいずれの場合も、充分に満足できる耐圧強度を保持できないものである。
【先行技術文献】
【特許文献】
【０００６】
【特許文献１】特開平７−２６７２７５号公報
【特許文献２】特許第３１５４２２９号公報
【発明の開示】
【発明が解決しようとする課題】
【０００７】
本発明は、上記に鑑みてなしたものであり、収納される同サイズ内の果実の大きさや形状のバラつきに対して融通性があり、同サイズ内の大きさのバラつきを吸収して、果実を過度に圧迫する虞なく収納でき、しかも収容部の周壁の外圧に対する保形性を高めることができて、果実を収容し保持した状態での積み重ねを可能にできる包装用容器を提供するものである。
【課題を解決するための手段】
【０００８】
上記の課題を解決する本発明は、合成樹脂製のシート材から成形され、ヒンジ部を介して一体に連接された本体と蓋体とからなり、本体には果実の下部側を保持する収容部が、蓋体には果実の上部側を保持する収容部が、それぞれ閉蓋状態において少なくとも外周部で突き合わされる平面部に対して外面側へ膨出形成され複数列に並設されてなる包装用容器であって、前記本体と蓋体の少なくとも一方において、各収容部を仕切る縦横の仕切り部の交差領域が、前記平面部に対して収容部の深さ範囲内の段差をなす段状面として形成され、該段状面の周縁が各収容部の周側壁の一部に連続しており、該収容部の開口縁側の一部が開放形をなしていることを特徴とする。
【０００９】
この包装用容器によれば、前記仕切り部の交差領域が平面部に対し段差をなす段状面として周りの各収容部の周壁に連続しており、各収容部の周壁の開口縁側の一部が開放形をなしているため、果実の大きさや形状のバラつきを各収容部の前記開放部分で吸収でき、やや大きめの果実を収容した場合にも、果実を過度に締めつける虞がない。
【００１０】
しかも、果実を収容し閉蓋した状態での取扱いにおいて、本体又は蓋体の収容部の周壁の頂部や底部に外圧が作用した場合に、前記段状面が周壁に連続していることで、収容部の周壁の頂部が凹む方向の変形に対して支えの役目を果たし、該頂部の変形を抑制できることになる、そのため、果実を収容し包装した状態での段積みを許容できることになる。
【００１１】
前記の包装用容器において、前記段状面が収容部深さの１／４〜３／４の範囲の位置にあるものとする。
【００１２】
前記の包装用容器において、本体及び蓋体の各収容部の周壁に、縦方向の補強リブが周壁の底部及び頂部を中心とする放射状に設けられてなるものとする。
【００１３】
前記の包装用容器において、前記本体と蓋体の外周部の所要の個所に閉蓋状態を保持するための係脱自在な締結手段が設けられてなるものとする。
【００１４】
前記の包装用容器において、ヒンジ部と対向する辺の本体と蓋体の外縁部に対し両端部の結合手段により脱着可能な下げ手部材を備えており、該下げ手部材の両端部の結合手段が前記締結手段を兼ねて本体と蓋体の外縁部を挟持可能に設けられてなるものとすることができる。
【００１５】
前記の包装用容器において、蓋体の収容部の周壁の頂部外面側に凸部が設けられるとともに、本体の収容部の周壁の底部外面側に前記凸部が嵌合できる凹部が設けられ、閉蓋状態の複数の包装用容器を段積みする際に下段の容器の凸部に上段の容器の凹部を嵌合して載置できるように設けられてなるものとする。
【００１６】
前記の包装用容器において、本体と蓋体の各収容部間の仕切り部に両収容部を連通させる凹部が設けられてなるものとする。
【発明の効果】
【００１７】
上記のように本発明の包装用容器によれば、本体と蓋体の少なくとも一方において、各収容部を仕切る縦横の仕切り部の交差領域が、前記平面部に対して収容部の深さ範囲内の段差をなす段状面として形成され、該段状面の周縁が各収容部の周壁の一部に連続して、収容部の開口縁側の周壁の一部が開放形をなしているため、収納される果実の大きさや形状のバラ付きを前記開放部分で吸収することができ、やや大きめの果実を収容した場合にも、果実を過度に締めつける虞がなく、果実を傷めることがない。
【００１８】
しかも、前記領域部分の段状面をその周りの収容部の周壁に連続させたことにより、周壁の頂部又は底部の凹み変形を抑制でき、周壁の頂部や底部が変形して収容した果実に当接するのを防止でき、段積みした際に上段の容器の荷重を弾力的に受けることができ、段積み使用も可能になる。
【図面の簡単な説明】
【００１９】
【図１】本発明の包装用容器の蓋体を開いた状態の斜視図である。
【図２】同上の包装用容器の平面図である。
【図３】同上の包装用容器の閉蓋状態の斜視図である。
【図４】同上の下げ手部材を装着した包装用容器の平面図である。
【図５】同上のＬ１−Ｌ１線の断面図である。
【図６】同上のＬ２−Ｌ２線の断面図である。
【図７】同上のＬ３−Ｌ３線の一部の断面図である。
【図８】同上の包装用容器の下げ手部材の結合手段の拡大斜視図（ａ）と結合状態の断面図（ｂ）である。
【図９】同上の閉蓋状態を保持する係合手段の部分の分離した平面図（ａ）と係止状態の平面図（ｂ）である。
【発明を実施するための形態】
【００２０】
次に本発明の実施の形態を図面に示す実施例に基づいて説明する。
【００２１】
図に示す実施例の包装用容器Ａは、熱可塑性の合成樹脂のシート材、例えば非発泡で透明な比較的薄肉の合成樹脂シートから、真空成形、圧空成形等の熱成形加工の手段により成形されたもので、外形が平面矩形の本体１と蓋体２とが１側辺に設けられたヒンジ部３を介して一体に連接形成されている。ヒンジ部３は容器本体１と蓋体２の連接部を図１の開蓋状態（展開状態）の平面側より見て凹形の溝状に成形してなり、展開状態から素材の持つ弾性力に抗して屈曲させるようにして閉蓋できるようになっている。
【００２２】
前記本体１と蓋体２には、それぞれ果実Ｆを収容し保持する収容部１１，２１が対向して設けられている。すなわち、本体１には果実Ｆの下部側、好ましくは下半部を収容して保持する収容部１１が、また蓋体２には果実Ｆの上部側、好ましくは上半部を収容して保持する収容部２１が、それぞれ閉蓋状態において少なくとも外周部で互いに突き合わせ状態になる平面部１２，２２に対し外面側（本体１は下面側、蓋体２は閉蓋時の上面側）に椀状（又は伏椀状）に膨出形成され、縦横に複数列、例えば図のように横列が２列になるように並設されており、ヒンジ部３で折曲し閉蓋した状態において互いに対向して果実Ｆを上下から保持できるようになっている。
【００２３】
図示する実施例の場合、前記本体１の縦横に隣接する収容部１１，１１間、及び蓋体２の縦横に隣接する収容部２１，２１間の仕切り部には、それぞれ平面部１２、２２による対向面から収容部１１，２１の深さ方向に凹設した凹部１３ａ，１３ｂ；２３ａ，２３ｂが設けられており、該凹部１３ａ，１３ｂ；２３ａ，２３ｂが隣接する両収容部１１，１１間、及び２１，２１間での折れ曲がりを抑制する補強作用を果たすとともに、両収容部１１，１１間、２１，２１間を連通させ通気性を確保でき、なおかつ収容した果実を取り出しやすくなっている。図の場合、前記ヒンジ部３と直交する方向（縦方向）に隣接する収容部１１，１１間の凹部１３ａ及び２１，２１間の凹部２３ａが、他方向（ヒンジ部３に沿う横方向）に隣接する収容部間の凹部１３ｂ，２３ｂより深い凹部になっているが、同深さの凹部であっても、また逆に浅い凹部であっても構わないし、さらに該凹部を設けない場合もある。
【００２４】
そして、前記本体１と蓋体２の少なくとも一方において、好ましくは図のように蓋体２において、各収容部２１を仕切る平面部２２による縦横の仕切り部が交差した状態になっている交差領域２４、すなわち隣接する両列の各一つもしくは各二つの収容部２１により囲まれた領域、例えば図のように縦横の仕切り部が交差して各列二つの(計四つ)の収容部２１により囲まれた交差領域２４が、前記平面部２２に対して閉蓋時の伏椀状の収容部２１の深さの範囲内の段差、言い換えれば収容部２１を形成する周壁２５の高さ範囲内の段差をなすように本体１との対向面側から凹設された段状面２４ａとして形成されており、該段状面２４ａがその周囲の各収容部２１の周壁２５の一部に連続しており、これにより該収容部２１の開口縁側の周壁２５の一部が開放形をなしている。符号２５ａはその開放部分を示している。図の場合、前記交差領域２４の段状面２４ａは、前記縦横の仕切り部の凹部２３ａ，２３ｂに連続して形成されており、該凹部２３ａ，２３ｂの含めて周壁２５の一部が開放形をなしている。
【００２５】
前記交差領域２４の段状面２４ａは、収容部２１の深さつまり椀状に膨出した周壁の高さの１／４〜３／４の範囲の高さ位置にあるのが好ましく、さらには１／３〜１／２の高さ位置にあるのが好ましい。例えば、前記交差領域２４の段状面２４ａが凹部２３ａ，２３ｂに連続して形成されている場合、図のように一方の凹部２３ｂの最底部と同深さ位置にあるように形成し、前記交差領域２４の周囲の収容部２１の開口縁を平面よりみて、前記凹部２３ａ，２３ｂを含めて少なくとも９０度の角度範囲を開放させるように段状面２４ａを形成しておくのが好ましい。もちろん、前記凹部２３ａ，２３ｂを有さない場合にも、前記段状面２４ａを同様に形成して実施することができる。この場合も、収容部２１の開口縁の少なくとも９０度の角度範囲を開放させるように形成するのが好ましい。
【００２６】
前記本体１及び蓋体２の各収容１１，２１の周壁１５，２５には、それぞれ平面より見て周方向の所要間隔毎（例えば９０度間隔毎）に、周壁１５，２５の底部１５ｂ又は頂部２５ｂから放射状に延びる、例えば２条一組の縦方向の補強リブ１６，２６が設けられている。
【００２７】
図の場合、蓋体２の収容部２１の周壁２５の頂部２５ｂには、周壁２５の外面より僅かに膨らんだ平面を有する凸部２７が設けられ、該凸部２７の周辺より放射方向に延びる前記補強リブ２６が容器の縦横方向に対し斜め方向の位置に形成されている。前記凸部２７の中央部には断面円弧状の小凸部２７ａが設けられており、周壁頂部２５ｂに作用する外力を該凸部２７の前記小凸部２７ａで弾力的に受支できるように設けられている。
【００２８】
他方、本体１の収容部１１の周壁１５の底部１５ｂの下面側に前記蓋体２の凸部２７が嵌合できる形状の凹部１７が外面より凹設されており、複数の包装用容器Ａを段積み使用する際に、上段の本体１の収容部１１の周壁底部１５ｂの凹部１７が、下段の蓋体２の収容部２１の周壁頂部２５ｂの凸部２７に嵌合するようになっている。特にこの際、前記凸部２７の小凸部２７ａが前記凹部１７の底面に弾力的に当接したときにある程度の弾性変形を許容することで、段積み時の緩衝効果を高めている。
【００２９】
なお、図示する実施例は、蓋体２の縦横の収容部２１，２１間の仕切り部の交差領域２４を平面部２２に対し段差をなす段状面２４ａに形成した場合を示したが、このほか、図示していないが、本体１の縦横の各収容部１１，１１間の仕切り部が交差する領域部分１４を平面部１２に対し収容部１１の深さ範囲内の段差をなす段状面を形成して上記同様に実施することもできる。特に、本体１と蓋体２の双方に、前記段状面を形成して実施することができる。
【００３０】
前記の包装用容器Ａにおいて、本体１及び蓋体２の外周部には、図示するように、閉蓋状態において互いに傾斜面で嵌合する嵌合縁部１８、２８がそれぞれ設けられており、これにより本体１と蓋体２の収容部１１，２１が閉蓋状態において上下に位置ずれなく対応できるようになっている。
【００３１】
さらに、ヒンジ部３と対向する辺の本体１と蓋体２の平面部１２，２２による外周部の所要の個所に、閉蓋状態を保持するための締結手段が設けられる。図示する実施例の包装用容器Ａの場合は、ヒンジ部３と対向する辺の本体１と蓋体２の平面部１２，２２の外周部に対し両端部の結合手段により脱着可能な下げ手部材４を備えており、該下げ手部材４の両端部の結合手段４１が前記締結手段を兼ねて本体１と蓋体２の平面部１２，２２による外縁部を挟持可能に設けられている。
【００３２】
すなわち、図８に拡大して示すように、前記下げ手部材４の両端部の結合手段４１、４１としては、図のように、それぞれ、包装用容器Ａの閉蓋状態の本体１と蓋体２の外周部を上下から挟持できる二股状の対をなす挟持片４２ａ，４２ｂが設けられ、一方の挟持片４２ａには、１もしくは複数（図の場合は二つ）の係合孔４３が設けられるとともに、他方の挟持片４２ｂには、前記一方の挟持片４２ａとの対向面に、先端部が僅かに拡径形成されたキノコ状をなし、かつ前記係合孔４３に対して弾力的に嵌合して容易に抜脱しないように前記拡径先端部４４ａが係合できる係合突起４４が突設されている。
【００３３】
他方、前記包装用容器Ａのヒンジ部３と対向する辺の本体１と蓋体２の平面部１２，２２による外縁部には、長手方向中央部に所定の間隔をおいて、前記結合手段４１の片方の挟持片４２ｂの係合突起４４が貫通できる長孔状の係合孔１９，２９が設けられており、前記挟持片４２ａの係合突起４４が前記係合穴１９，２９を貫通して該本体１と蓋体２の外周部を挟んた状態で前記係合孔４３に係合せしめられることにより、該下げ手部材４を包装用容器Ａに結合装着できるとともに、同時に、本体１と蓋体２とを挟持して閉蓋状態に保持できるようになっている。すなわち、前記下げ手部材４の結合手段４１、４１が、本体１と蓋体２を閉蓋状態に保持する締結手段を兼ねている。
【００３４】
前記本体１と蓋体２の係合穴は、図示する長孔状の穴には限らず、前記係合突起を貫通できる穴であればどのような形態の穴であっても良く、例えば係合穴と同数の円形穴であってもよい。
【００３５】
なお、前記の包装用容器Ａにおいて、本体１と蓋体２とを閉蓋状態に保持する締結手段としては、種々の形態、脱着構造による実施が可能であり、図示するように、前記下げ手部材４の装着のための結合手段４１を利用するほか、別の締結手段を設けて実施することができる。また下げ手部材４についても、図示する形態のものには限らず、種々の形態及び結合手段による実施が可能であり、また下げ手部材を使用しない場合もある。
【００３６】
さらに、図示する実施例の場合、本体１と蓋体２とを閉蓋状態に保持する締結手段として、前記ヒンジ部３に隣接する辺の側縁部において、本体１と蓋体２の対応する所定の個所、例えば幅方向の中央部に、閉蓋状態を保持するための係止部５が設けられている。
【００３７】
この係止部５としては、図９に拡大して示すように、本体１と蓋体２の一方、例えば本体１の側縁部の個所に、四角形の１辺を除いた角状Ｕ形をなす切込み５１が形成され、該切込み５１の内方部が前記１辺部分で他部分と連続した押さえ片５２として、後述する係止部片を押さえるように形成されている。他方、蓋体２の側縁部には、前記角状Ｕ形の切込み５１との対応位置において、該切込み４１の対向する両辺部５１ａ，５１ａ間の間隔Ｗ１よりやや狭い間隔Ｗ２を存して位置する切込み端５３ａ，５３ａを基端部として、前記両辺部５１ａ，５１ａ間の間隔Ｗ１より両側に延び、かつ両端部で転回してＣ形状に連続する切込み５３により、両切込み端５３ａ，５３ａ間を連続部とする係止部片５４が設けられている。
【００３８】
前記の係止部片５４は、前記角状Ｕ形の切込み５１の両辺部５１ａ，５１ａ間に主として指先で押し込まれて弾性変形しながら通過せしめられることにより、図９（ｂ）のように、係止部片５４の両端部５４ａ，５４ａが前記角状Ｕ形の切込み５１の両辺部５１ａ，５１ａの外側縁に係止するように設けられている。前記係止手段の角状Ｕ形の切込み５１，及びＣ形状の切込み５３は、シートからの成形後のトリミングの際に同時にカットして形成できる。
【００３９】
上記した包装用容器の構成材の合成樹脂のシート材としては、従来よりこの種の包装用容器に使用されている合成樹脂、例えばポリスチレン及びポリスチレンを主体とする共重合体等のポリスチレン系樹脂、ポリエチレンやポリプロピレン及びオレフィンを主体とする共重合体等のポリオレフィン系樹脂、ポリエチレンテレフタレート等のポリエステル系樹脂その他の各種の熱成形可能な主として非発泡の合成樹脂のシートを使用できる。また、前記シートの厚みは、保形性や弾性を考慮して適宜設定でき、例えば０．１〜１．０ｍｍ程度のものが用いられる。
【００４０】
この包装用容器Ａによれば、本体１の収容部１１に包装対象の果実Ｆを例えば網状の緩衝材で包被した状態で収容し、蓋体２をヒンジ部３で折曲して、各収容部２１に果実Ｆの上部側を収容して保持するように本体１に被せる。そして、例えば、前記本体１及び蓋体２のヒンジ部３と相対向する辺において、実施例のように別体の下げ手部材４を、両端部に有する結合手段４１により本体１と蓋体２の平面部１２，２２による外縁部を挟持した状態で結合する。すなわち、前記結合手段４１の二股状の片方の挟持片４２ｂの係合突起４４を、本体１と蓋体２に有する前記係合穴１９，２９に通して該本体１と蓋体２の外周縁部を挟んた状態で前記挟持辺４２ａの係合孔４３に係合することにより、該下げ手部材４を包装用容器Ａに結合し装着できるとともに、同時に、本体１と蓋体２とを閉蓋状態に保持できる（図８）。これにより、果実Ｆを収容して保持した状態で手提げ状態で持ち運びすることができる。また、このとき、例えば前記ヒンジ部３と直交する辺の側縁部に設けた係止部５としての一方の係止部片５４を、他方の角状Ｕ形の切込み５１の両辺部５１ａ，５１ａ間に押し込んで、図９（ｂ）のように係止して閉蓋状態に保持しておくことにより、本体１と蓋体２を結合した閉蓋状態にさらに安定性よく保持でき、収容された果実Ｆの落下を防止できる。
【００４１】
そして、前記の包装状態においては、本体１と蓋体２の少なくとも一方、例えば図のように蓋体２の各収容部２１，２１間の縦横の仕切り部の交差領域２４が、平面部２２に対し段差をなす段状面２４ａとして各収容部２１の周壁２４に連続しており、各収容部２１の周壁２５の開口縁側の一部が開放形をなしているため、収容される果実Ｆの大きさや形状のバラつきを前記収容部２１の前記開放部分２５ａで吸収でき、やや大きめの果実Ｆを緩衝材により包んで収容した場合にも、果実Ｆを過度に締め付ける虞がない。
【００４２】
しかも、果実Ｆを収容し保持した状態での取扱いにおいて、本体１及び蓋体２の各収容部１１，２１の周壁１５，２５に、縦方向の補強リブ１６，２６が周壁１５の底部１５ｂ、及び周壁２５の頂部２５ｂを中心とする放射状に設けられているため、適度の耐圧強度を保有し、変形防止の効果を発揮できるばかりか、これに加えて、前記交差領域２４の段状面２４ａが周壁２５に連続していることにより、前記蓋体２の収容部２１の周壁２５の頂部２５ｂに外圧が作用した場合に、前記段状面２４ａが突っ張りになって、前記周壁２５の頂部２５ｂの潰れ方向の変形に対して支えの役目を果たすことになり、該頂部２５ｂが凹んだり潰れたりするのを防止できる。
【００４３】
またそのため、図５〜図７の鎖線のように、果実Ｆを収容し保持した状態の複数の包装用容器Ａを段積みした場合にも、収容部２１の周壁２４が凹んだり潰れたりする変形を防止でき、頂部２５ｂが果実Ｆに接触するのを防止できる。
【００４４】
特に、図示する実施例のように、蓋体２の収容部２１の周壁２５の頂部２５ｂに凸部２７、本体１の収容部１１の周壁１５の頂部となる底部１５ｂに凹部１７を設け、下段の容器の前記凸部２７と、上段の容器の前記凹部１７を嵌合して段積みすることにより、位置ずれなく安定性よく段積みできるとともに、周壁２５の頂部２５ａと周壁１５の底部１５ａの凸部２７や凹部１７により変形を抑制する作用を果たし、これが前記段状面２４ａによる突っ張り作用や．補強リブ１６，２６による補強効果とも相俟って、耐圧性をさらに高め、収納された果実Ｆを圧迫あるいは当接するような変形を生じさせる虞がない。
【産業上の利用可能性】
【００４５】
本発明の包装用容器は、各種の果実の包装用容器のほか、他の球状物品の包装用容器にも利用できる
【符号の説明】
【００４６】
Ａ…包装用容器、１…本体、２…蓋体、３…ヒンジ部、４…下げ手部材、５…係止部、１１…収容部、１２…平面部、１３ａ，１３ｂ…凹部、１４…仕切り部が交差する領域部分、１５…周壁、１５ｂ…底部、１６…補強リブ、１７…凹部、１８…嵌合縁部、１９…係合穴、２１…収容部、２２…平面部、２３ａ，２３ｂ…凹部、２４…仕切り部の交差領域、２４ａ…段状面、２５…周壁、２５ａ…開放部分、２５ｂ…頂部、２６…補強リブ、２７…凸部、２７ａ…小凸部、２８…嵌合縁部、２９…係合穴、４１…結合手段、４２ａ，４２ｂ…挟持片、４３…係合孔、４４…係合突起、４４ａ…拡径先端部、５１…角状Ｕ形をなす切込み、５１ａ…両辺部、５２…押さえ片、５３…切込み、５３ａ…切込み端、５４…係止部片、５４ａ…両端部、Ｗ１，Ｗ２…間隔。
【図１】
2012254827.tif 000003
【図２】
2012254827.tif 000004
【図３】
2012254827.tif 000005
【図４】
2012254827.tif 000006
【図５】
2012254827.tif 000007
【図６】
2012254827.tif 000008
【図７】
2012254827.tif 000009
【図８】
2012254827.tif 000010
【図９】
2012254827.tif 000011